(57)【要約】電気的な差込み接続部材は、平形差込みピン（１０）と平形差込みスリーブ（１２）とを有しており、この平形差込みスリーブ（１２）内に平形差込みピン（１０）が挿入可能となっている。平形差込みピン（１０）は、その挿入方向（２０）に向けられた端部領域で拡張部（２２）を有している。拡張部（２２）を備えた平形差込みピン（１０）の端部領域はハンマーヘッド形に構成されている。
2004521472.tif 000002
【特許請求の範囲】
【請求項１】
平形差込みピン（１０）と平形差込みスリーブ（１２）とを備えた電気的な差込み接続部材であって、差込みスリーブ（１２）内に平形差込みピン（１０）が挿入可能である形式のものにおいて、
平形差込みピン（１０）が、挿入方向（２０）に向けられた端部領域で拡張部（２２）を有していることを特徴とする、電気的なコネクタ。
【請求項２】
拡張部（２２）が、平形差込みピン（１０）の長手方向軸線（１１）の方向で、長手方向軸線（１１）に対して垂直な幅（Ｂ）よりも小さい寸法を有している、請求項１記載の電気的な接続部材。
【請求項３】
拡張部（２２）が、平形差込みピン（１０）の長手方向軸線（１１）に対して対称的に、この平形差込みピンの両側に構成されている、請求項１又は２記載の差込み接続部材。
【請求項４】
平形差込みピン（１０）の端部領域で、拡張部（２２）がハンマーヘッド形に構成されている、請求項１から３までのいずれか１項記載の差込み接続部材。
【請求項５】
拡張部（２２）がその、平形差込みピン（１０）から離れた方の外側で少なくともほぼ鋭角に構成されている、請求項１から４までのいずれか１項記載の差込み接続部材。
【請求項６】
平形差込みピン（１０）の端部が挿入方向（２０）で先細りしており、この先細り部（２４）が拡張部（２２）を基点として先細りしている、請求項１から５までのいずれか１項記載の差込み接続部材。
【発明の詳細な説明】
【０００１】
本発明は、請求項１の上位概念部に記載した電気的な差込み接続部材に関する。
【０００２】
このような形式の電気的な差込み接続部材は、ドイツ連邦共和国特許公開第３９３７０８９号明細書により公知である。この電気的な差込み接続部材は、平形差込みピンと平形差込みスリーブとを有しており、この平形差込みスリーブ内に平形差込みピンが挿入可能である。平形差込みピンは、その全長に亘って一定の幅を有しており、この幅は、平形差込みスリーブ内の内法幅よりも小さい。この場合、平形差込みピンは平形差込みスリーブ内に容易に挿入可能であるが、平形差込みピンを引き出し方向で引き抜くためにも小さい力を必要とするだけである。従って、平形差込みピン及び／又は平形差込みスリーブに引張力が作用する際に差込み接続が解除されて、電気的な接続が遮断されることを、確実に防止することはできない。
【０００３】
発明の利点
これに対して、請求項１に記載した特徴を有する本発明による電気的な差込み接続部材は、平形差込みピンの拡張部によって、この平形差込みピンを平形差込みスリーブから抜き出すために必要な力が高められるという利点を有している。何故ならば、平形差込みピンはその拡張部によて平形差込みスリーブ内に確実に係止するからである。これによって、差込み接続が意図せずに解除されることは避けられる。
【０００４】
従属請求項に、本発明による電気的な差込み接続部材の有利な実施態様及び変化例が記載されている。請求項５に記載した構成によれば、平形差込みピンが平形差込みスリーブ内で係止され、それによって差込み接続を解除するために必要な引き出し力がさらに高められる。請求項６に記載した平形差込みピンの構成によれば、平形差込みピンを比較的わずかな力で平形差込みスリーブ内に挿入することができるので、簡単な差込み接続の形成が可能である。
【０００５】
図面
本発明の実施例が図面に示されていて、以下に詳しく説明されている。
【０００６】
図１は電気的な差込み接続部材（コネクタ）の横断面図、図２は差込み接続部材の平形差込みピンの拡大図、図３は、平形差込みピンの図２の符号ＩＩＩで示した部分の拡大図である。
【０００７】
実施例の説明
図１には電気的な差込み接続部材が示されており、この差込み接続部材に平形差込みピン１０が差込み可能である。平形差込みスリーブ１２は公知の形式で横断面がＵ字形に構成されており、その側方の両縁部１４が内方に巻かれている。縁部１４間には受容部が形成されており、この受容部の内法幅は、平形差込みピン１０の幅よりも少し大きいだけである。縁部１４の自由端部１６は、平形差込みスリーブ１２の向き合う壁部１８に向いていて、この壁部１８に対して間隔を保って配置されている。縁部１４の自由端部１６と壁部１８との間の間隔は、平形差込みピン１０の厚さよりもやや小さい。平形差込みピン１０を平形差込みスリーブ１２内に差し込む際に、その縁部１４はばね弾性的に変形して、平形差込みピン１０が縁部１４と壁部１８との間に侵入できるようにする。
【０００８】
平形差込みピン１０は図２及び図３に詳しく説明されている。平形差込みピン１０は横断面がほぼ方形であって、その幅ｂは厚さｄと比較して著しく大きい。平形差込みピン１０の幅ｂは、平形差込みピン１０の長手方向の大部分に亘って少なくともほぼ一定であって、平形差込みピン１２の内法幅よりも小さい。しかしながら平形差込みピン１０の幅ｂは、これが平形差込スリーブ１２の壁部１８と縁部１４の自由端部１６との間に侵入する程度の大きさである。平形差込みピン１０は、その挿入方向２０で平形差込みスリーブ１２に向いた端部領域で拡張部２２を有しており、この拡張部２２によって、平形差込みピン１０の幅Ｂがその残りの幅ｂに対して拡大されている。この拡張部２２は、平形差込みピン１０の長手方向軸線（縦軸線）１１に対して対称的にこの平形差込みピン１０の両側に形成されている。拡張部２２を備えた平形差込みピン１０の端部領域はハンマーヘッド形（Ｈａｍｍｅｒｋｏｐｆ）に構成されている。
【０００９】
拡張部２２における平形差込みピン１０の幅Ｂは、平形差込みスリーブ１２の内法幅よりもやや小さいので、平形差込みピン１０はさらに平形スリーブ１２内に挿入され得る。平形差込みピン１の幅ｂと拡張部２２の領域における幅Ｂとの間の差は、例えば０．２ｍｍ〜２ｍｍ、有利には０．３ｍｍ〜０．６ｍｍの間である。平形差込みピン１０の長手方向軸線１１の方向での拡張部２２の寸法ｓは、長手方向軸線１１に対して垂直な幅Ｂよりも小さい。平形差込みピンにおける拡張部２２への移行部と平形差込みピン１０の端部との間の寸法ｓは、その長手方向１１で見て例えば約０．５ｍｍ〜２ｍｍ、有利には約１ｍｍである。拡張部２２は、有利な形式でその平形差込みピン１０から離れる方向に延びる外側が鋭角に構成されている。拡張部２２から平形差込みピン１０への移行部は、平形差込みピン１０の引き出し方向２１で、やや丸味を付けて構成されているが、この場合、拡張部２２の鋭角な構成を得るために、曲率半径ｒはできるだけ小さい。
【００１０】
平形差込みピン１０の端部領域は、例えば両側が対称的な面取り部２４によって、挿入方向２０で先細りして構成されている。面取り部２４は、拡張部２２から平形差込みピン１０の端部まで連続的に構成されている。平形差込みピン１０の長手方向軸線１１に対する面取り部２４の角度αは、例えば約４５゜である。
【００１１】
長手方向軸線１１の方向で平形差込みスリーブ１２の外側に位置する、平形差込みピン１０の領域に、別の拡張部２６が形成されており、この別の拡張部２６の幅は、平形差込みスリーブ１２の内法幅よりも大きいので、平形差込みスリーブ１２内に挿入できない。拡張部２６は、拡張部２６が平形差込みスリーブ１２に当接するまで平形差込みスリーブ１２内に挿入されることによって、平形差込みピン１０のための組立補助を形成し、これによって、平形差込みピン１０は、確実な差込み結合を形成するために十分深く平形差込みスリーブ１２内に挿入される。しかも平形差込みピン１０は開口２８を有しており、この開口２８内に、平形差込みスリーブ１２内における平形差込みピン１０の終端位置においてこの平形差込みスリーブ１２に配置されたばね弾性的な係止アームが係合し、これによって平形差込みピン１０は平形差込みスリーブ１２内で引き抜きに抗して確保される。
【００１２】
差込み結合を解除するためには、平形差込みピン１０及び／又は平形差込みスリーブ１２に引き出し方向２１で作用する、比較的大きい力が必要である。何故ならば、平形差込みピン１０は、少なくとも一方側でその拡張部２２によって、平形差込みスリーブ１２内に係止するからである。これによって、平形差込みピン１０は平形差込みスリーブ１２内で傾斜し、それによって斜めの力が作用するために、差込み接続部を解除するための強い力が必要である。何故ならば、この場合拡張部２２は一方側が特に効果的に平形差込みスリーブ１２内に係止するからである。差込み結合の意図的な解除は、相応に強く正確な引き出し方向２１に作用する力、例えばペンチによって可能である。平形差込みスリーブ１２内への平形差込みピン１０の挿入は、面取り部２４によって軽減されるので、このためには、差込み結合を解除するための力よりもわずかな力が必要なだけである。
【００１３】
平形差込みピン１０及び／又は平形差込みスリーブ１２は、ケーブル又はその他の例えば接触レール（Ｓｔｒｏｍｓｃｈｉｅｎｅ）の形状の部材に接続されるか、若しくはこの部材と一体的に構成することができる。本発明による差込み接続部は例えば、自動車の燃料貯蔵タンク内に配置された構成部材における電気的な接続のため使用され得る。これらの構成部材は、電動モータによって駆動される燃料フィード装置又は充填レベル信号発信器であってよい。
【図面の簡単な説明】
【図１】
電気的なコネクタ（差込み接続部材）の横断面図である。
【図２】
図２はコネクタの平形差込みピンの拡大図である。
【図３】
平形差込みピンの図２の符号ＩＩＩで示した部分の拡大図である。
【国際公開パンフレット】
2004521472.tif 000003
2004521472.tif 000004
2004521472.tif 000005
2004521472.tif 000006
2004521472.tif 000007
2004521472.tif 000008
2004521472.tif 000009
2004521472.tif 000010
2004521472.tif 000011
2004521472.tif 000012
2004521472.tif 000013
【国際調査報告】
2004521472.tif 000014
2004521472.tif 000015
2004521472.tif 000016
2004521472.tif 000017